(57)【特許請求の範囲】
【請求項１】
基台に、水を利用して砂利を分離するスクリーンを設置した一次受槽と、水を利用して砂を分離するスクリーンを設置した二次受槽とを設けて、これらの一次及び二次受槽に供給されてくる生コンクリートから、前記砂利及び砂を分離するようにした生コンクリート処理装置において、
前記二次受槽内に前記一次受槽を所定の間隔を開けた状態で一体的に組み込んで処理槽を構成し、該処理槽を１本の横軸によって前記基台に回動可能に軸支して、
前記処理槽を上方に向けたときには、その投入口が前記生コンクリートの供給口に対向し、前記処理槽を前記横軸にて回動させたときには、前記一次受槽と前記二次受槽の各々の排出口を各々の排出手段側に対向させ、砂利と砂とを分離して各々の排出手段に排出するようにしたことを特徴とする生コンクリート処理装置。
【請求項２】
前記基台に、砂利と砂とを除去した後の処理水を貯水する水槽と、液体サイクロンとを設置し、
前記水槽内の処理水を前記液体サイクロンを介した後、一次受槽又は二次受槽に設置したスクリーンを洗浄するための洗浄水として利用するようにしたことを特徴とする請求項１に記載の生コンクリート処理装置。
【発明の詳細な説明】
【０００１】
【発明の属する技術分野】
本発明は、施工現場において生コンクリートが余った際に、これを処理するための生コンクリート処理装置に関するものである。
【０００２】
【従来の技術】
近年、環境問題が叫ばれるようになって久しい。特に建築業においては産業廃棄物の処理は非常に重要になってきており、今日的問題である。
例えば、コンクリートによって構築物を形成する場合、搬入されてきた生コンクリートが余ってしまうことがあり、また運搬を終えたコンクリートミキサー車の洗浄を、その施工現場において行われることもあり、施工現場で、その余ったり洗い流されたりした生コンクリートの処理を行わなければならない。
【０００３】
このような生コンクリートの処理を行うための従来の生コンクリート処理装置は、特開昭６０−２７９６５号公報に記載されたものが知られている。この生コンクリート処理装置１は同公開公報２頁右欄３２行目〜３７行目に記載されているとおり、「残存生コンクリートの処理に際し、先ず洗車場と同一の地表面上の位置でそのまま粗骨材回収装置を使用して砂利などの粗骨材の一次回収を行ったのち、残りの細骨材を含む水を細骨材回収装置に送り込んで砂などの細骨材の二次回収を行うようになさしめる」ものである。
【０００４】
したがって、特開昭６０−２７９６５号公報に記載された従来の生コンクリート処理装置は、図５に示すように、砂利を回収する一次回収装置２と、砂を回収する二次回収装置５とは離れた位置に設置しなければならない大型の装置となって、砂利を取り除いた後の生コンクリートの成分を一旦第１汚水槽３に沈殿させ、この第１汚水槽３と二次回収装置５との間にはサンドポンプ４を連結する必要があるのである。
【０００５】
しかも、この従来の生コンクリート処理装置は、施工現場が人里離れた山間部等となるトンネル工事を行う場合には、上述のような複数の大型の装置、水槽を持ち込むことは非常に困難であり、運搬及び設置のためのコストも高くなるものである。また、設置場所を確保するのも困難であった。
【０００６】
さらに、上記従来の処理装置では、残りのスラッジ（セメント水和物）を含む水は第２汚水槽６に投入され、その後、図示していない大型の汚水処理装置を経由してスラッジを含まない処理水となり、貯水槽に貯水されるのである。そして、この貯水された処理水は、前記公開公報の２頁左欄の４０行目から右欄の１行目に記載されているとおり、一部地下水や工業用水が加えられた後、ポンプを介して一旦、ミキサー車７のタンク内を洗車するために使用されて濁水となった後、再び一次回収装置２へと投入されるのである。しかしながら、これでは大量の水を必要とするだけでなく、一次回収装置２又は二次回収装置５の分離手段にセメントが付着し、これが固化することによって目詰まりが生じやすいものとなっていた。
【０００７】
【発明が解決しようとする課題】
本発明は上記点に鑑み、施工現場への持ち運びに便利なコンパクトな処理装置であって、水道設備の無いような場所においても砂利や砂を分離する手段に目詰まりを生じさせることなく利用することができる生コンクリート処理装置を提供することを目的とする。
【０００８】
【課題を解決するための手段】
上記課題を解決するために、まず、請求項１に係る発明の採った手段は、後述する実施の形態の説明中で使用する符号を付して説明すると、
「基台１１に、水を利用して砂利を分離するスクリーン１３ａを設置した一次受槽１３と、水を利用して砂を分離するスクリーン１４ａを設置した二次受槽１４とを設けて、これらの一次及び二次受槽１３，１４に供給されてくる生コンクリートから、前記砂利及び砂を分離するようにした生コンクリート処理装置１０において、前記二次受槽１４内に前記一次受槽１３を所定の間隔を開けた状態で一体的に組み込んで処理槽１５を構成し、該処理槽１５を１本の横軸１２によって前記基台１１に回動可能に軸支して、前記処理槽１５を上方に向けたときには、その投入口１５ａが前記生コンクリートの供給口１６ａに対向し、前記処理槽１５を前記横軸１２にて回動させたときには、前記一次受槽１３と前記二次受槽１４の各々の排出口１５ａ，１５ａを各々の排出手段側２２，２２に対向させ、砂利と砂とを分離して各々の排出手段２２，２２に排出するようにしたことを特徴とする生コンクリート処理装置１０」である。
【０００９】
即ち、この生コンクリート処理装置１０は、コンクリートによって構築物を形成した後の残余の生コンクリートから砂利と砂とを分離するにあたって、先ず一次受槽１３に水と生コンクリートとを投入して砂利を分離し、さらに二次受槽１４に投入して砂を除去するものであるが、二次受槽１４内に一次受槽１３を１本の横軸１２によって一体的に組み込んでいるため、砂利の分離と砂の分離とをコンパクトな処理槽１５内で連続して行うことができる。
【００１０】
又、一次受槽のスクリーン１３ａ上には砂利が分離されて残り、二次受槽のスクリーン１４ａ上には砂が分離されて残るので、砂利と砂との排出も処理槽１５を排出手段側に回動させるだけで、砂利と砂とを分離した形で排出することができる。
【００１１】
したがって、この生コンクリート処理装置１０は、供給されてくる生コンクリートから砂利及び砂を分離する処理を、コンパクトな一つの装置で一括して行うことができるという利点を有するのである。
【００１２】
また、請求項２に係る発明の採った手段は、後述する実施の形態の説明中で使用する符号を付して説明すると、請求項１に係る発明である生コンクリート処理装置１０について、
「前記基台１１に、砂利と砂とを除去した後の処理水を貯水する水槽１７と、液体サイクロン１８とを設置し、前記水槽１７内の処理水を前記液体サイクロン１８を介した後、一次受槽１３又は二次受槽１４に設置したスクリーン１３ａ，１４ａを洗浄するための洗浄水として利用するようにしたこと」
である。
【００１３】
即ち、この生コンクリート処理装置１０は、上記請求項１の利点に追加してさらに、砂と砂利とを除去した処理水を液体サイクロンに投入して、セメント成分を除去し、一次スクリーン又は二次スクリーンを洗浄する洗浄水として再利用するものであるから、一次スクリーン又は二次スクリーンに分離された砂利と砂とに付着しているセメント成分を洗い流すことができることは当然として、水の入手が困難な山間部での使用が十分可能となるのである。
【００１４】
換言すれば、この請求項２に係る生コンクリート処理装置１０は、洗浄水を再利用するものであるから、水道設備が無くて十分な水がないような場所においても、生コンクリート等から砂利と砂とを分離する作業が十分行えるのであり、各スクリーンに目詰まりを生じさせることもないという利点を有するのである。
【００１５】
【発明の実施の形態】
次に、本発明の実施形態を図面に基づいて説明する。図１は本発明に係る生コンクリート処理装置の正面図であり、図２は平面図である。
【００１６】
この生コンクリート処理装置１０は基台１１の略中央に横軸１２を設置している。そして、図２から明らかなように、二次受槽１４は一次受槽１３よりも幅広で大型な槽となっていて、この二次受槽１４内に一次受槽１３を所定の間隔を開けた状態で一体的に組み込んで処理槽１５を形成し、この処理槽１５を横軸１２によって回動可能に軸支するのである。
【００１７】
そして、基台１１上部には供給されてきた生コンクリート又は生コンクリートを洗浄し終えた洗浄水を受ける受シュート１６を設置しているのである。また、受シュート１６の供給口１６ａから生コンクリートが供給される時には、この供給口１６ａが、上述の処理槽１５の投入口１５ａに対向するように処理槽１５は横軸１２に軸支されているのである。
【００１８】
したがって、受シュート１６の生コンクリート供給口１６ａから生コンクリートを投下すると、一次受槽１３がこれをキャッチするのである。
【００１９】
また、一次受槽１３には砂利以外が通過する一次スクリーン１３ａを設置している。この一次スクリーン１３ａの目は３ミリ四方となっているので、これよりも大きな砂利を一次スクリーン１３ａ上へ分離することができるのである。
【００２０】
そして、一次受槽１３の底壁１３ｂの所定位置に通過孔１３ｃが空いていて、この通過孔１３ｃから一次スクリーン１３ａによって分離された砂利以外の生コンクリート成分が二次受槽１４の開口へと落下するのである。
【００２１】
また、二次受槽１４には砂以外が通過する二次スクリーン１４ａを設置している。この二次スクリーン１４ａの目は１ミリ四方となっているので、これよりも大きな砂を二次スクリーン１４ａ上へ分離することができるのである。
【００２２】
そして、二次受槽１４の底壁１４ｂの所定位置にも通過孔１４ｃが空いていて、この通過孔１４ｃから砂利と砂とが除去された後の処理水が貯水槽１７へと落下するようになっているのである。
【００２３】
また、基台１１上部には液体サイクロン１８が設置されていて、サンドポンプ１９が貯水槽１７と液体サイクロン１８とを連結しているのである。そして、液体サイクロン１８でさらに浄化された水は図１に示されているように、直接、二次受槽１４の二次スクリーン１４ａの上方から投入されるか、または、上述の一次スクリーン１３ａ又は二次スクリーン１４ａの上方に設置されたノズル２０から噴射されて、一次スクリーン１３ａ又は二次スクリーン１４ａの目に付着した砂やセメントを水圧によって洗い流すのである。
【００２４】
また、上述の横軸１２は伸縮自在のジャッキ２１と連結していて、このジャッキ２１を伸ばすことによって横軸１２と、これに連結する処理槽１５とが回動するようにしている。そして、回動した処理槽１５から砂利と砂とが各々の排出手段２２，２２に落下し、これを装置１０外へと排出するのである。
【００２５】
ジャッキ２１は油圧ジャッキ、電動ジャッキのどちらを用いてもよく、図３に示すように、このジャッキ２１の先端と横軸１２との間はリンク２１ａによって連結しているのである。
【００２６】
そして、上述したように、受シュート１６の供給口１６ａから生コンクリートが供給される時には、この供給口１６ａが処理槽１５の投入口１５ａに対向するように処理槽１５は横軸１２に軸支されているのであるが、この時、ジャッキ２１は縮んだ状態となっているのである。
【００２７】
また、処理槽１５の一次スクリーン１３ａ上にある砂利と、二次スクリーン１４ａ上にある砂とを排出手段２２，２２に排出する時には、処理槽１５の排出口１５ａを排出手段２２，２２側に対向させるように上述のジャッキ２１を伸ばした状態とすることによって横軸１２を回動させるのである。
【００２８】
そして、図４に示すように、排出手段２２，２２は２列に設置されたベルトコンベアから構成されていて、生コンクリート処理装置１０の基台１１下部空間の前方から後方に向けて上向きの傾斜をつけ、後端が装置１０外に突出するように設置されているのである。
【００２９】
尚、本発明の趣旨を逸脱しない範囲において種々なる実施形態をとることができることは言うまでもない。例えば、上述の実施形態では液体サイクロンで分離された汚泥水の処理については言及していないが、設置場所が確保できるのであれば、濁水処理装置を設置し、これによって分離された処理水を生コンクリート処理装置１０の一次スクリーン１３ａ又は二次スクリーン１４ａを洗浄するための洗浄水として利用する構成としてもよいものである。
【００３０】
【発明の効果】
請求項１の発明は、基台に、水を利用して砂利を分離するスクリーンを設置した一次受槽と、水を利用して砂を分離するスクリーンを設置した二次受槽とを設けて、これらの一次及び二次受槽に供給されてくる生コンクリートから、前記砂利及び砂を分離するようにした生コンクリート処理装置において、前記二次受槽内に前記一次受槽を所定の間隔を開けた状態で一体的に組み込んで処理槽を構成し、該処理槽を１本の横軸によって前記基台に回動可能に軸支して、前記処理槽を上方に向けたときには、その投入口が前記生コンクリートの供給口に対向し、前記処理槽を前記横軸にて回動させたときには、前記一次受槽と前記二次受槽の各々の排出口を各々の排出手段側に対向させ、砂利と砂とを分離して各々の排出手段に排出するようにしたことに特徴を有するので、従来の生コンクリート処理装置のように、複数の処理装置を設置するために、広大な設置場所を確保する必要がなく、施工現場への持ち運びに便利でコンパクトな生コンクリート処理装置とすることができるものである。
【００３１】
請求項２の発明は、前記基台に、砂利と砂とを除去した後の処理水を貯水する水槽と、液体サイクロンとを設置し、前記水槽内の処理水を前記液体サイクロンを介した後、一次受槽又は二次受槽に設置したスクリーンを洗浄するための洗浄水として利用するようにしたことに特徴を有するので、水道設備の無いような場所においても砂利や砂を分離する手段である一次スクリーン又は二次スクリーンに目詰まりを生じさせることなく利用することができるので、連続して稼動させることができ、処理能力を向上させることができる生コンクリート処理装置とすることができるものである。
【図面の簡単な説明】
【図１】本発明に係る生コンクリート処理装置の正面図である。
【図２】本発明に係る生コンクリート処理装置の平面図である。
【図３】本発明に係る生コンクリート処理装置のジャッキを伸ばした状態を示す説明図である。
【図４】本発明に係る生コンクリート処理装置の右側面図である。
【図５】従来の生コンクリート処理装置を示す説明図である。
【符号の説明】
１  生コンクリート処理装置
２  一次回収装置
３  第１汚水槽
４  サンドポンプ
５  二次回収装置
６  第２汚水槽
１０  生コンクリート処理装置
１１  基台
１２  横軸
１３  一次受槽
１３ａ  一次スクリーン
１３ｃ，１４ｃ  通過孔
１４  二次受槽
１４ａ  二次スクリーン
１５  処理槽
１６  受シュート
１７  貯水槽
１８  液体サイクロン
１９  サンドポンプ
２０  ノズル
２１  ジャッキ
２２  排出手段
【図１】
0003831869.tif 000002
【図２】
0003831869.tif 000003
【図３】
0003831869.tif 000004
【図４】
0003831869.tif 000005
【図５】
0003831869.tif 000006